(57)【要約】      （修正有）【課題】透明ケース等の一部を切断してもカードそのものを破壊しないと有価物の取り出しができないようにしてカードの改竄を防止するパチンコ景品カードを提供する。【解決手段】基板の上面に中板、中板の上面に透明ケースを被せ、中板に金地金等のメダル状有価物を配置したパチンコ景品カードにおいて、中板の上面に、前記有価物の周縁を掩蔽する金属枠を固定し、中板の下面に、有価物を覆う金属板を固定する。金属枠とともに有価物を取り出すとなるとその分中板の一部が破壊されてしまい、修復は困難となってカードの偽造はできず、再利用の余地がなくなり不正使用を防止できる。【選択図】図１
0003144486.tif 000002
【実用新案登録請求の範囲】
【請求項１】
基板の上面に中板、中板の上面に透明ケースを被せ、中板に金地金等のメダル状有価物を配置したパチンコ景品カードにおいて、中板の上面に、前記有価物の周縁を掩蔽する金属枠を固定するとともに、中板の下面に、有価物を覆う金属板を固定することを特徴とする有価物の抜き取り防止策付きパチンコ景品カード。
【請求項２】
中板の上面に、前記有価物が目視でき且つ金属枠を掩蔽する印刷紙片を重ね合わせたことを特徴とする請求項１記載の有価物の抜き取り防止策付きパチンコ景品カード。
【請求項３】
前記金属枠及び金属板がステンレス板であることを特徴とする請求項１又は２記載の有価物の抜き取り防止策付きパチンコ景品カード。
【考案の詳細な説明】
【技術分野】
【０００１】  本考案は、パチンコ景品カードにおいてケース内に取り付けた有価物の不正な抜き取りを防止する有価物の抜き取り防止策付きパチンコ景品カードに関する。
【背景技術】
【０００２】  基板上に貴金属或いは現金に代替するメダル等の有価物を収納し、上部より透明ケースを被せて構成したパチンコ等の景品カードは従来から存在する（例えば特許文献１〜３参照）。これらのカードは内部の有価物が目視できるようにするため上部を透明ケースにしたもので、有価物は人目を引くに十分な外観を呈している。
【特許文献１】特開平１０−２４９０５２号公報
【特許文献２】登録実用新案第３１２４５１９号公報
【特許文献３】特開平７−２２５８２３号
【考案の開示】
【考案が解決しようとする課題】
【０００３】  前記した景品カードに配置された有価物が市場価値の高い金地金などであると遊技者はケースから取り出して手元に置きたいと希望することも少なくなく、このため特許文献１及び２にはこの取り出し手段が記載されていて中味の有価物が比較的容易に取り出しできるようになっている。ところで特許文献１・２のような手段を用いた場合、封緘シールが剥がれたり透明ケースが切断されるなどでカード全体が通常形体とは異なる外観となるためカードそのものは繰り返し使用できなくなって不正な使用を防止するには有効であるが、例えば透明ケースや基板の一部をカッターで切断して中味だけ取り出したような場合、切断個所の修復をしてカードを真正のものに似せて復元することも不可能ではなく、その場合カードに残るデータを利用してカードを不正に再現できるという問題がある。【０００４】  本考案はこのような従来の不備に鑑みてなされたもので、例えカッターで透明ケースや基板の一部を切断しても、カードを破壊しなければ中板上の有価物が容易には取り出しできないようにして、カードの安易な復元を困難にした有価物の抜き取り防止策付きパチンコ景品カードを提供しようとするものである。
【課題を解決するための手段】
【０００５】  そのために本考案は、基板の上面に中板、中板の上面に透明ケースを被せ、中板に金地金等のメダル状有価物を配置したパチンコ景品カードにおいて、中板の上面に、前記有価物の周縁を掩蔽する金属枠を固定するとともに、中板の下面に、有価物を覆う金属板を固定することを特徴としている。【０００６】  中板の上面に、前記有価物が目視でき且つ金属枠を掩蔽する印刷紙片を重ね合わせたことを特徴とする。【０００７】  前記金属枠及び金属板がステンレス板であることを特徴としている。
【考案の効果】
【０００８】  本考案の有価物の周縁には金属枠が取り付けられているため透明ケースの一部をカッターで切断して開口部を形成しても、有価物は金属枠にガードされているためカッターの刃先を中板に食い込ますことはできず、有価物を簡単に取り出すことはできない。有価物の下面にも金属板があるため下からの取り出しもできず、取り出すには景品カード自体を破壊することになるためカードの復元は困難で不正使用することは不可能となる。【０００９】  金属枠の形状・大きさ・色合い等は任意に設定でき、透明ケース外側から見て有価物を引き立てるような形体にすることも可能で、ユーザーの興趣感を満足させるような付加価値を提供できる。【００１０】  中板の上面に、デザインなどを印刷した印刷紙片を重ね合わせ、有価物は目視できるが金属枠を見えなくするということもできる。この場合有価物だけが見えて金属枠には気づくことがなく、それゆえ有価物を取り出すために周縁にカッターなどを当てても金属枠に遮られて弾かれ、結局有価物の取り出しはできず、取り出すためにはカードを破壊することになるのでカードの偽造による不正使用を未然に防止できる。この場合印刷紙片上に各種模様・デザインなどが印刷できて見栄えのよいものとなる。
【考案を実施するための最良の形態】
【００１１】  図面を参照して本考案を実施するための最良の形態を説明する。図１は本案カードの概略を示す説明図であり、（ａ）は俯瞰状態、（ｂ）は分解状態を示す。図示のように最下部の合成樹脂製基板１０の上面に厚紙からなる中板２０が位置し、中板２０の上面に合成樹脂からなる透明ケース３０が位置する。中板２０には模様ＭやＱＲコードＣなどが印刷されるスペースとともに金地金などのメダル状有価物２１が取り付けられて透明ケース３０を透して目視される。なお基板１０と透明ケース３０には短手方向に沿ってＶ字形の切り込み１１が形成され、この切り込み１１個所から左右が折り曲げできるようになっている。【００１２】  有価物２１の周縁上部にはステンレス板からなる模様状の金属枠２２が密接していて透明ケース３０から透視すると、あたかも金属枠２２が有価物２１の周囲を装飾しているように外観されるので、有価物２１の存在が際だって視認される。【００１３】  図２は透明ケース３０を省略した基板１０と中板２０の概略断面であり、（ａ）は一体の状態、（ｂ）は分解した状態を示す。基板１０は縁部１０ａが囲い枠状に起立しており、この中に中板２０が収納され、中板２０には収納部２０ａが形成されていてこの中に前記有価物２１が固定され、中板２０の上面に固定した前記金属枠２２が有価物２１の周縁を掩蔽するように配置されている。【００１４】  有価物２１は金属枠２２の中に収まっているように見えるが、有価物２１周縁上部にはあたかも額縁のように金属枠２２がガードをしており、したがって例え前記透明ケース３０の一部ををカッターで切り欠いて刃先を有価物２１にあてがってもはじき返されるだけであり有価物２１を取り出すことはできない。金属枠２２とともに有価物２１を取り出すとなるとその分中板２０の一部が破壊されてしまい、修復は困難となってカードの偽造はできず、再利用の余地がなくなり不正使用を防止できる。【００１５】  中板２０の下面には、有価物２１を覆うステンレス製の金属板２３が固定されている。有価物２１は透明ケース３０側からだけでなく、基板１０の一部を切断して中板２０の下面から抜き取ることも可能であり、図示のように中板２０の下面に、有価物２１を覆う金属板２３を固定することで万全となる。この場合の金属板２０は当然ながらも有価物２１よりも大形となる。【００１６】  図３は本案カードの他の実施形態であり、（ａ）は平面図、（ｂ）は中板２０の断面図を示す。この例では有価物２１だけ見えて金属枠２２は透明ケース３０から透視されないようになっている。したがって透明ケース３０外部からは通常の景品カードのように有価物２１が透視されるだけである。【００１７】  目視されない金属枠２２は断面図示のように中板２０の上面に固定されていることは第一の実施形態と同様であるが、中板２０の上面には更に印刷紙片４０が重ね合わさっている。該印刷紙片４０にはデザイン模様ＭやＱＲコードＣ等が印刷されるスペースがあり、加えて金属枠２２を掩蔽するが有価物２１は目視できる開口４１が形成されている。そして中板２０の下面には第一の実施形態と同様に金属板２３が固定されている。この場合も、有価物２１の上部周縁に金属枠２２は密接しており、有価物���１を取り出すためにカッターの刃先を有価物２１の周縁にあてがったとしても刃先は印刷紙片４０を破ることはできても見えない金属枠２２に当接するのでそれ以上は進まず、したがって有価物２１を取り出すことは困難であり、取り出し後のカードの偽造を試みることも不可能で、結局不正な復元による違法な使用はできない。基板１０側からも取り出しできないことは第一の実施形態と同様である。【００１８】  本案カードは有価物２１の周縁上部及び下面に金属枠２２・金属板２３を固定してなるもので、その他の構成は通常のカードと何ら変わらず、また基板１０の切り込み１１も任意事項であり、したがってカードの形態の詳細については説明を省略した。なお金属枠２２と金属板２３にはステンレス板が好適するが、本考案の目的効果を奏する範囲において、ステンレス以外の素材を使用することなども本考案の自由な実施の範疇に属する。
【図面の簡単な説明】
【００１９】
【図１】本案カードの概略を示し、（ａ）は俯瞰状態の説明図、（ｂ）は分解状態の説明図である。
【図２】（ａ）は基板と中板の概略断面図、（ｂ）はその分解図である。
【図３】本案カードの他の実施形態を示し、（ａ）は概略平面図、（ｂ）は中板の断面図である。
【符号の説明】
【００２０】  １０    基板
２０    中板
２１    有価物
２２    金属枠
２３    金属板
３０    透明ケース
４０    印刷紙片
【図１】
0003144486.tif 000003
【図２】
0003144486.tif 000004
【図３】
0003144486.tif 000005
【手続補正書】
【提出日】平成20年6月3日(2008.6.3)
【手続補正１】
【補正対象書類名】明細書
【補正対象項目名】００１１
【補正方法】変更
【補正の内容】
【００１１】  図面を参照して本考案を実施するための最良の形態を説明する。図１は本案カードの概略を示す説明図であり、（ａ）は俯瞰状態、（ｂ）は分散状態を示す。図示のように最下部の合成樹脂製基板１０の上面に厚紙からなる中板２０が位置し、中板２０の上面に合成樹脂からなる透明ケース３０が位置する。中板２０には模様ＭやＱＲコード（登録商標）Ｃなどが印刷されるスペースとともに金地金などのメダル状有価物２１が取り付けられて透明ケース３０を透して目視される。なお基板１０と透明ケース３０には短手方向に沿ってＶ字形の切り込み１１が形成され、この切り込み１１個所から左右が折り曲げできるようになっている。
【手続補正２】
【補正対象書類名】明細書
【補正対象項目名】００１７
【補正方法】変更
【補正の内容】
【００１７】  目視されない金属枠２２は断面図示のように中板２０の上面に固定されていることは第一の実施形態と同様であるが、中板２０の上面には更に印刷紙片４０が重ね合わさっている。印刷紙片４０にはデザイン模様ＭやＱＲコード（登録商標）等が印刷されるスペースがあり加えて金属枠２２を掩蔽するが有価物２１は目視できる開口４１が形成されている。そして中板２０の下面には第一の実施形態と同様に金属板２３が固定されている。この場合も有価物２１の上部周縁に金属枠２２は密接しており、有価物２１を取り出すためにカッターの刃先を有価物２１の周縁にあてがったとしても刃先は印刷紙片４０を破ることはできても見えない金属片２２に当接するのでそれ以上は進まず、従って有価物２１を取り出すことは困難であり、取り出し後のカードの偽造を試みることも不可能で、結局不正な復元による違法な使用はできない。基板１０側からも取り出しできないことは第一の実施形態と同様である。